(57)【特許請求の範囲】
【請求項１】
捺印のための印影パターンを有する印面と、
前記印面に作用する圧力により捺印を検出する捺印検出センサと、
電子タグペーパのＲＦＩＤタグと通信を行うリーダライタと、
前記リーダライタを動作させるための電源とを備え、
前記リーダライタは、コイル状アンテナを備え、前記コイル状アンテナの内周部と外周を取り囲む状態に磁性体で形成されたコアが配置され、前記捺印検出センサにより捺印が検出されると、前記電子タグペーパのＲＦＩＤタグに書き込むデータを送信する電子印鑑装置により捺印が行われる電子タグペーパであって、
前記ＲＦＩＤタグは、コイル状アンテナに接続されており、
前記コイル状アンテナの外形寸法は、前記電子印鑑装置のコアの外形寸法に等しくなるように設定されていることを特徴とする電子タグペーパ。
【請求項２】
請求項１記載の電子タグペーパに捺印を行うための電子印鑑装置において、
前記リーダライタの動作状態を表示する表示手段を備えていることを特徴とする電子印鑑装置。
【請求項３】
前記表示手段は、前記印面の天を示す位置に設けられていることを特徴とする請求項２記載の電子印鑑装置。
【請求項４】
前記電源により連続動作して日時を計時するカレンダ時計を備え、
前記リーダライタは、前記捺印検出センサによって捺印が検出された時に前記カレンダ時計から日時データを読み出し、当該日時データも前記電子タグペーパのＲＦＩＤタグに送信することを特徴とする請求項２または３記載の電子印鑑装置。
【発明の詳細な説明】
【技術分野】
【０００１】
本発明は、ＲＦＩＤタグを備えた電子タグペーパに捺印を行うための電子印鑑装置、及びその電子印鑑装置によって捺印される電子タグペーパに関する。
【背景技術】
【０００２】
従来から、企業などにおいて稟議書や企画書などの書類が回覧される際には、回覧状況を確認するため、書類に捺印又は署名などを行っている。しかし、近年ではコンピュータ技術やＩＴ技術が発展したことに伴い、書類に対して捺印が行われたか否かの情報を電子データとして取り扱うことについても関心が高まっている。
例えば、特許文献１には、固有番号が記憶されたＲＦＩＤタグを内蔵した印鑑、タグリーダ及び磁気リーダライタを備えた読み書き装置、回覧情報などを記録するための磁気記録層を備えた回覧用紙、回覧情報を記憶するためデータベースを備えたサーバなどを備えて構成される文書回覧システムが開示されている。
【０００３】
上記構成によれば、読み書き装置の上に回覧用紙をセットして印鑑により用紙に捺印すると、読み書き装置は、回覧用紙に記録された回覧情報や印鑑に記録された固有番号を読み出す。そして、これらの情報がネットワークを介してサーバへ送信されることで文書回覧情報の管理を行うようにしている。
【特許文献１】特開２００５−２２２２８０号公報
【発明の開示】
【発明が解決しようとする課題】
【０００４】
しかしながら、特許文献１に開示されているシステムは、構成が非常に大がかりになると共に、文書に捺印する際には必ず読み書き装置の上で行う必要があり、利用しにくいという問題がある。
本発明は上記事情に鑑みてなされたものであり、その目的は、より簡単な構成で捺印情報を用紙に電子データとして記憶させることができる電子印鑑装置、及びその電子印鑑装置によって捺印される電子タグペーパを提供することにある。
【課題を解決するための手段】
【０００５】
請求項１記載の手段によれば、捺印検出センサが、印面に作用する圧力により捺印を検出すると、内蔵されているリーダライタが電子タグペーパ側のＲＦＩＤタグに書き込むデータを送信する。従って、使用者は、通常の紙に通常の印鑑により捺印を行う場合と同様の感覚で電子印鑑装置を用いて電子タグペーパに捺印を行えば、電子タグペーパが備えているＲＦＩＤタグに捺印情報を電子データとして記憶させることができる。
【０００６】
また、コイル状アンテナの内周部にコアを配置したことにより、リーダライタが電子タグペーパのＲＦＩＤタグにデータを送信する際、コイル状アンテナが発生させる通信用の磁界は印面の中心部分に集中する。従って、安定した通信を行うことができると共に、周辺に対する電磁波の漏れを低減することができる。
【０００７】
また、コアをコイル状アンテナの外周も取り囲む状態で配置するので、コイル状アンテナが発生させる通信用の磁界はより印面の領域内に集中するようになる。従って、より安定した通信を行うことができると共に、電磁波の漏れを更に低減することができる。
さらに、ＲＦＩＤタグのコイル状アンテナの外形寸法を、電子印鑑装置のコアの外形寸法と等しくするので、通信用の電磁波の漏れを更に少なくできると共に、より一層安定した通信を行うことができる。
【０００８】
請求項２記載の手段によれば、表示手段が、リーダライタの動作状態を表示するので、使用者はこの表示を参照することで、ＲＦＩＤタグに対するデータの送信（及び書き込み）が行われていることを確認できる。
【０００９】
請求項３記載の手段によれば、表示手段を印面の天を示す位置に設けるので、表示手段の位置を確認して捺印を行えば、印影の方向が正しい状態で電子タグペーパに捺印することができる。
【００１０】
請求項４記載の手段によれば、リーダライタは、捺印が検出されるとカレンダ時計から日時データを読み出し、捺印情報データと共に日時データをＲＦＩＤタグに送信するので、捺印が行われた日時の情報も、電子タグペーパのＲＦＩＤタグに電子データとして記憶させることができる。
【発明を実施するための最良の形態】
【００１２】
以下、本発明の一実施例について図面を参照して説明する。図２は、電子印鑑装置並びに電子タグペーパの外観を示す斜視図である。電子印鑑装置１は、一般的な印鑑と略同様の形状であり、例えば有底円筒状の本体２を有して構成されている。本体２は、上ケース２ａ及びこの上ケース２ａより若干径大の下ケース２ｂを一体的に形成して構成されており、下ケース２ｂにおける図２中下端側に設けられた開口部に、姓名などを表わす凹凸の印影パターンを有する円板状の印面（図１に符号３を付して示す）が配置されている。また、上ケース２ａの下部側面において、印面３の天を示す位置に後述するＬＥＤ（表示手段に相当）４が設けられている。
また、電子タグペーパ５は、捺印を行うための捺印部６を有しており、その捺印部６にはＲＦＩＤタグ（図１に符号７を付して示す）が埋め込まれている。尚、この捺印部６以外の部位は一般的な普通紙として構成されている。
【００１３】
図１は、電子印鑑装置１並びに電子タグペーパ５の縦断面図であり、これらの内部構成を概略的に示すものである。上ケース２ａの内部には、電源としての一次電池８，９が直列に接続され取り出し可能に配置されている。また、上ケース２ａの下部には、動作状態を表示するインジケータとしてのＬＥＤ４が、図１中、左側面から発光部を外部に突出させて配置されている。
【００１４】
下ケース２ｂの内部には、プリント配線板として構成された電源基板１０及び制御基板１１が、夫々上部及び中央部に配置されている。電源基板１０には、電源回路（図５に符号１２を付して示す）が設けられており、一次電池８，９からの電源が図示しない配線を介して供給されている。電源回路１２は、一次電池８，９からの電源を安定化させて各部に供給する。また、制御基板１１には、ＲＦＩＤタグ７と無線通信を行うための制御回路（図５に符号１３を付して示す）、導体を巻回して円環状に形成された送受信コイル（コイル状アンテナに相当）１４などが設けられている。電源基板１０及び制御基板１１は、夫々の両端部においてコネクタ１５，１６により電気的な接続がなされると共に機械的にも連結されている。
【００１５】
そして、下ケース２ｂの下端部には、前述した印面３と略同形状をなす印面取付板１７が固定されており、印面３は、その上面が印面取付板１７の下面に固着されることで下ケース２ｂの下端よりも若干突出するように配設されている。また、印面取付板１７の上方には送受信コイル１４が位置しており、この送受信コイル１４に対して有底円筒状のフェライトコア（コアに相当）１８が、上方から全体を覆うように配置されている。即ち、フェライトコア１８は、送受信コイル１４の中空部に対して突出する形状の凸部１８ａを有すると共に、円周部１８ｂが送受信コイル１４の外周側を取り囲んでいる。フェライトコア１８は、送受信コイル１４から発生する磁界を印面３の領域内に集中させるために配置されている。更に、印面取付板１７と制御基板１１の右部との間には、捺印が行われたことを検出するための捺印検出センサ１９が設けられている。
【００１６】
図３は、捺印検出センサ１９に係る部分を拡大した縦断面図であり、（ａ）は通常時、（ｂ）は捺印時を示す。図３（ａ）に示すように、捺印検出センサ１９は、ラバーコンタクト２０，可動接点２１，固定接点２２，２３を有して構成されている。ラバーコンタクト２０は、例えば弾性変形可能なゴム材により形成されており、下端部２０ａ、可撓部２０ｂ、上端部２０ｃにより構成されている。
そして、固定接点２２，２３は制御基板１１の図３中下面側に設けられており、ラバーコンタクト２０の上端部２０ｃは、固定接点２２，２３の周囲を取り囲むように制御基板１１に固着されている。下端部２０ａの図３中、上面には固定接点２２，２３に対向するように可動接点２１が設けられ、下面には印面取付板１７が固着されている。可撓部２０ｂは、例えば薄肉のスカート状をなしており、上端部２０ｃと下端部２０ａとを連結している。
【００１７】
上記構成において、電子印鑑装置１により捺印が行われた場合、図３（ｂ）に示すように、印面３及び印面取付板１７を介して下端部２０ａにも上方への圧力が加わる。すると、可撓部２０ｂが弾性変形するため下端部２０ａ及び可動接点２１が上方へ移動する。そして、可動接点２１が固定接点２２，２３と接触して両者を短絡させると、電源回路１２は各部への電源供給を開始する。
【００１８】
一方、電子タグペーパ５は、前述したように捺印部６の内部に電子印鑑装置１との間で無線通信を行うＲＦＩＤタグ７が埋め込まれている。図４は、このＲＦＩＤタグ７の構成を概略的に示す斜視図であり、ＲＦＩＤタグ７の全体には、凹凸が生じないように樹脂モールド２４が施されている。ＲＦＩＤタグ７は、回路基板２５，回路基板２５上に配設された送受信コイル（コイル状アンテナに相当）２６及びＩＣチップ２７を有して構成されている。送受信コイル２６は、導体を巻回して円環状に形成されており、その外形寸法は、電子印鑑装置１内のフェライトコア１８の外形寸法に等しくなっている。また、ＩＣチップ２７は、送受信コイル２６内の中心部に配置されている。
【００１９】
図５は、電子印鑑装置１の電気的構成を示すブロック図である。電子印鑑装置１は、ＬＥＤ４，一次電池８，９，電源回路１２，制御回路１３，送受信コイル１４，捺印検出センサ１９，メモリ２８，送受信回路２９を有して構成されている。
制御回路１３は、ＣＰＵなどを含むマイクロコンピュータを主体とし、計時用のタイマであるＲＴＣ（Real Time Clock，カレンダ時計に相当）１３ａなどを有して構成されている。また、制御回路１３は、送受信回路２９を介して外部のＲＦＩＤタグ７との間で捺印情報などのデータの送受信を行う。即ち、電子印鑑装置１は、リーダライタとしての機能を有して構成される。この捺印情報データは、図６に示すように、氏名などの捺印者個人を識別するための捺印者識別情報，捺印時の年月日時分を示す捺印日時情報，パスワードなどセキュリティのための本人確認情報で構成されている。そして、制御回路１３は、メモリ２８に対してこれらの捺印情報データの書き込み、又は読み出しを行う。
【００２０】
送受信回路２９は、送信部及び受信部（何れも図示せず）で構成され、制御回路１３によって出力される送信データは送信部において符号化されると、更に符号化データによる搬送波の変調が行われ、被変調信号が送受信コイル１４に出力される。そして、被変調信号は、送受信コイル１４より電波信号として外部に送信される。また、送受信コイル１４によって受信された電波信号は受信部に入力される。そして、受信部では復調処理及び復号化処理が行なわれ、復号された受信データは制御回路１３に出力される。
【００２１】
電源回路１２は、前述したように一次電池８，９から電源が供給されていると共に捺印検出センサ１９からの捺印検出信号が与えられる。そして、電源回路１２は、固定接点２２，２３間が閉路されることで捺印検出信号がアクティブになると、制御回路１３や送受信回路２９などの各回路へ動作用電源を供給するように構成されている。
また、電子印鑑装置１は書き込み表示用のＬＥＤ４を備えている。このＬＥＤ４は、制御回路１３によって制御されており、制御回路１３は、電源回路１２より電源が供給されている時にＬＥＤ４を点灯させるようになっている。尚、本実施例では、一次電池８，９及び電源回路１２により電源が構成される。
【００２２】
次に、電子タグペーパ５の内部に埋め込まれているＲＦＩＤタグ７の電気的構成について図７に示すブロック図を参照して説明する。ＲＦＩＤタグ７は、送受信コイル２６，制御回路３０，送受信回路３１，メモリ３２，電源回路３３を有して構成されている。制御回路３０は、マイクロコンピュータを主体として構成されている。また、制御回路３０は、送信部と受信部とで構成される送受信回路３１を介して電子印鑑装置１との間でデータの送受信を行う。以上の構成において、送受信コイル２６を除いた部分がＩＣチップ２７を構成している。
【００２３】
ＲＦＩＤタグ７は、電子印鑑装置１より送信された搬送波を送受信コイル２６を介して受信すると、電源回路３３において搬送波を整流して動作用電源を生成し、制御回路３０や送受信回路３１などの各回路に供給する。
また、搬送波に重畳されている電子印鑑装置１からの送信データは受信部において復調され、制御回路３０に出力される。制御回路３０は、動作用電源が供給されて起動すると、電子印鑑装置１からの送信データを受けてメモリ３２に記憶されているデータを読み出し、また、ライトコマンドが送信された場合はデータを書き込む。そして、制御回路３０より出力される応答データは、送信部において符号化された後、負荷変調が行われて電子印鑑装置１に返信される。
【００２４】
電子印鑑装置１については、使用する前に捺印者識別情報などの初期情報を設定しておく必要がある。この場合、図８に示すように、模擬タグ３４及びコンピュータ３５を用いて電子印鑑装置１に初期設定情報データを書き込む。
模擬タグ３４は、制御回路３６、送受信回路３７、送受信コイル３８、電源回路３９を有して構成され、ＲＦＩＤタグ７と同様に電子印鑑装置１と無線通信を行う。また、模擬タグ３４は、コンピュータ３５とＵＳＢ（Universal Serial Bus）などを介して接続されており、データの送受信を行うと共にコンピュータ３５より電源が供給される。また、コンピュータ３５には、電子印鑑装置１にセットする使用者の初期設定情報が保存されている。
【００２５】
模擬タグ３４の制御回路３６は、送受信コイル３８及び送受信回路３７を介して電子印鑑装置１からの情報設定要求を受信すると、コンピュータ３５から捺印者識別情報などの初期設定情報データを読み出し、送受信回路３７及び送受信コイル３８を介して電子印鑑装置１へ送信する。そして、電子印鑑装置１の制御回路１３は、初期設定情報データを受信すると、メモリ２８に対してこれらのデータを書き込むことで初期情報の設定を行う。
【００２６】
次に、本実施例の作用について図９も参照して説明する。図９は、電子印鑑装置１と電子タグペーパ５に埋め込まれているＲＦＩＤタグ７との間、或いは電子印鑑装置１と模擬タグ３４との間で通信を行う際の、電子印鑑装置１側の処理内容を示すフローチャートである。前述したように、電子印鑑装置１に対しては、用前に初期情報を設定する必要があるため、最初に初期情報を設定する場合について説明する。
【００２７】
まず、使用者が電子印鑑装置１の印面３を模擬タグ３４の上面に接触させ、捺印を行うため下方へ押し込むと、印面３に上方への圧力が加わる。すると、捺印検出センサ１９において、固定接点２２，２３が可動接点２１に接触して短絡されることにより捺印が検出される（ステップＳ１）。そして、捺印が検出されると、電源回路１２は各部への電源供給を開始する（ステップＳ２）。
制御回路１３は、電源が供給されるとタイマカウントを開始させ（ステップＳ３）、所定時間、例えば数秒が経過するまでカウントを行う。そして、送受信コイル１４から模擬タグ３４に対して呼掛信号を送信する（ステップＳ４）。この時、模擬タグ３４からは、データを受信する準備が整っていることを示すＲＥＡＤＹ応答信号は返信されず（ステップＳ５：「ＮＯ」）、初期設定情報データを送信すべきかどうかを確認するための情報設定要求信号が返信される（ステップＳ１１：「ＹＥＳ」）。
【００２８】
ここで、この情報設定要求信号も返信されない場合（ステップＳ１１：「ＮＯ」）、制御回路１３は、所定時間が経過するまで（ステップＳ１６：「ＮＯ」）呼掛信号を送信して模擬タグ３４からの応答を待つ（ステップＳ４，Ｓ５，Ｓ１１）。しかし、応答が無いまま所定時間が経過すると（ステップＳ１１：「ＮＯ」，ステップＳ１６：「ＹＥＳ」）、制御回路１３は、終了処理を行った後、電源回路１２からの電源供給を停止させて（ステップＳ９）処理を終了する。
【００２９】
ステップＳ１１において情報設定要求信号を受信すると（「ＹＥＳ」）、制御回路１３はＲＥＡＤＹ応答信号を送信する（ステップＳ１２）。すると、模擬タグ３４は、コンピュータ３５から捺印者識別情報などの初期設定情報データを読み出し、これらのデータを送信する。制御回路１３は、模擬タグ３４からこれらのデータが返信されると（ステップＳ１３：「ＹＥＳ」）、受信した初期設定情報データをメモリ２８に書き込んで初期情報の設定を行う（ステップＳ１４）。そして、初期情報の設定が完了すると、その旨を示す完了信号を模擬タグ３４へ送信し（ステップＳ１５）、終了処理を行った後、電源回路１２からの電源供給を停止させて処理を終了する。
【００３０】
ここで、初期設定情報データが返信されない場合（ステップＳ１３：「ＮＯ」）、制御回路１３は、所定時間が経過するまで（ステップＳ１７：「ＮＯ」）ＲＥＤＹ応答信号を送信して模擬タグ３４からの応答を待つ（ステップＳ１２，Ｓ１３）。しかし、応答が無いまま所定時間が経過した場合は（ステップＳ１３：「ＮＯ」，ステップＳ１７：「ＹＥＳ」）ステップＳ９に移行する。
【００３１】
次に、初期情報の設定を行った電子印鑑装置１を用いて、例えば回覧文書である電子タグペーパ５に捺印を行う場合について説明する。使用者が、電子印鑑装置１を電子タグペーパ５の捺印部６に捺印を行うと、ステップＳ１〜Ｓ５については、模擬タグ３４の場合と同様に実行される。そして、ステップＳ５において、ＲＦＩＤタグ７からＲＥＡＤＹ応答信号が返信されると（「ＹＥＳ」）、制御回路１３は、メモリ２８に保存されている捺印情報データを読み出すと共に、ＲＴＣ１３ａからその時点での日時データを読み出す（ステップＳ６）。
【００３２】
続いて、制御回路１３は、読み出したこれらのデータを送受信コイル１４からＲＦＩＤタグ７に対して送信する（ステップＳ７）。ＲＦＩＤタグ７は、捺印情報データ及び日時データを受信するとメモリ３２にこれらのデータの書き込んで捺印者の識別情報やその捺印が行われた日時などを電子データとして保存し、完了応答信号を送信する。そして、制御回路１３は、ＲＦＩＤタグ７から完了応答信号が返信されると（ステップＳ８：「ＹＥＳ」）ステップＳ９に移行する。
ここで、ＲＦＩＤタグ７から完了応答信号が返信されない場合（ステップＳ８：「ＮＯ」）、制御回路１３は、所定時間が経過するまで（ステップＳ１０：「ＮＯ」）捺印情報データ及び日時データを読み出して送信し、ＲＦＩＤタグ７からの応答を待つ（ステップＳ６，Ｓ７，Ｓ８）。しかし、応答が無いまま所定時間が経過すると（ステップＳ８：「ＮＯ」，ステップＳ１０：「ＹＥＳ」）ステップＳ９に移行する。
【００３３】
以上のようにして電子タグペーパ５に捺印情報が書き込まれる。すると、捺印情報が書き込まれた複数の電子タグペーパ５は例えば一箇所に集められて、専用のリーダライタを用いてＲＦＩＤタグ７に記憶された捺印情報データが読み出される。そして、リーダライタが読み出した捺印情報データをサーバに送信すれば、サーバにおいて、複数の電子タグペーパ５の捺印情報を一括して管理することが可能となる。
【００３４】
以上のように本実施例によれば、電子印鑑装置１において、捺印検出センサ１９が印面３に作用する圧力により捺印を検出すると、制御回路１３は、電子タグペーパ５側のＲＦＩＤタグ７に書き込む捺印情報データを送信する。従って、使用者は、通常の紙に通常の印鑑により捺印を行う場合と同様の感覚で、電子印鑑装置１を用いて電子タグペーパ５に捺印を行えば、ＲＦＩＤタグ７に捺印情報を電子データとして記憶させることができる。
【００３５】
また、送受信コイル１４の内周部にフェライトコア１８の凸部１８ａを配置すると共に円周部１８ｂを送受信コイル１４の外周も取り囲む状態で配置したので、送受信コイル１４が発生させる通信用の磁界を印面３の中心部分に集中させて安定した通信を行うことができると共に、周辺に対する電磁波の漏れを低減することができる。
加えて、電子印鑑装置１と電子タグペーパ５とは接触した状態で通信を行うと共に、上記のようにフェライトコア１８を配置することで通信可能領域は極めて狭い範囲に限定されるので、外部からの電磁波などの影響を受けにくくなると共に、通信に伴う電力消費を低減することができる。
【００３６】
また、ＬＥＤ４により電子印鑑装置１の動作状態を表示するので、使用者はこの表示を参照することで、電子印鑑装置１からＲＦＩＤタグ７にデータが送信され書き込みが行われたことを確認できる。そして、使用者は、電子印鑑装置１による捺印を適切なタイミングで終了して、捺印情報データの書き込みを効率よく行うことができる。更に、ＬＥＤ４は、印面３の天を示す位置に配置したので、使用者は、ＬＥＤ４の位置を確認して捺印を行えば、印影の方向が正しい状態で電子タグペーパ５に捺印することができる。
【００３７】
また、制御回路１３は、捺印が検出されるとＲＴＣ１３ａから日時データを読み出し、捺印情報データと共に日時データをＲＦＩＤタグ７に送信するので、捺印が行われた日時の情報も、電子タグペーパ５のＲＦＩＤタグ７に電子データとして記憶させることができる。加えて、電子タグペーパ５において、ＲＦＩＤタグ７の送受信コイル２６の外形寸法を、電子印鑑装置１のフェライトコア１８の外形寸法に等しくしたので、通信用の電磁波の漏れを更に少なくできると共に、より一層安定した通信を行うことができる。
【００３８】
本発明は、上記し且つ図面に記載した実施例にのみ限定されるものではなく、次のような変形又は拡張が可能である。
電子タグペーパ５を、契約書などの期間を限定する必要のある文書に適用し、電子タグペーパ５側のＲＦＩＤタグ７のメモリ３２に予め契約書の有効期間を示す日時データを記憶させておくと良い。このようにすれば、電子印鑑装置１により捺印が行われた時の日時データと有効期間を示す日時データとを比較することで、捺印時に契約書が有効であったか否かを判断できる。
【００３９】
また、電子タグペーパ５は、ＲＦＩＤタグ７を紙に埋め込むことで構成したが、捺印部６を備えたＲＦＩＤタグをシール状にすることもできる。このようにすれば、様々な形態の文書に対して、シール状のＲＦＩＤタグを貼り付けることで、電子印鑑装置１を用いて捺印情報及び日時情報などを電子データとして保存することができる。
更に、シール状のＲＦＩＤタグを貼り付けることが可能であれば良いので、文書に限定されることなく、例えば、書籍やカタログなど様々な回覧物に対して、捺印情報及び日時情報を電子データとして保存することができる。また、電子タグペーパは、収入印紙などに適用することも考えられる。
【００４０】
また、捺印情報データは、捺印者識別情報，捺印日時情報，本人確認情報で構成したが、これに限定されることなく必要に応じて削除及び変更を行ったり、種々の情報を追加したりすると良い。例えば、電子印鑑装置を社印などの公式に用いる印鑑に適用し、捺印情報データにこの社印を証明するためのデータを追加する。そして、電子タグペーパをブランド認定書や鑑定書などに適用し、電子タグペーパのＲＦＩＤタグに、予めこの社印を確認するためのデータを記憶させておけば、捺印された社印が本物であるかどうかの証明を行うことが可能となる。
【００４１】
ＬＥＤ４を印面の天を示す位置に配置したが、印面の天を示すための例えば突起部が設けられている場合、ＬＥＤ４は、使用者から確認可能な位置であればどこに配置しても良い。また、表示手段としてＬＥＤ４を用いたが、電球や液晶などその他の表示部品を用いて構成しても良い。更に、電子印鑑装置１の動作状態を確認する必要がない場合には、表示手段を設けなくとも良い。
【図面の簡単な説明】
【００４２】
【図１】本発明の一実施例を示すものであり、電子印鑑装置及び電子タグペーパの縦断面図
【図２】電子印鑑装置及び電子タグペーパの外観を示す斜視図
【図３】図１における捺印検出センサに係る部分を拡大したものであり、（ａ）は通常時の縦断面図、（ｂ）は捺印時の縦断面図
【図４】ＲＦＩＤタグの構成を概略的に示す斜視図
【図５】電子印鑑装置の電気的構成を示すブロック図
【図６】捺印情報データのフォーマットを示す図
【図７】ＲＦＩＤタグの電気的構成を示すブロック図
【図８】模擬タグの電気的構成を示すブロック図
【図９】捺印が行われる際に電子印鑑装置の制御回路が行う処理内容を示すフローチャート
【符号の説明】
【００４３】
図面中、１は電子印鑑装置（リーダライタ）、３は印面、４はＬＥＤ（表示手段）、５は電子タグペーパ、７はＲＦＩＤタグ、８，９は一次電池（電源）、１２は電源回路（電源）、１３は制御回路、１３ａはＲＴＣ（カレンダ時計）、１４は送受信コイル（コイル状アンテナ）、１８はフェライトコア（コア）、１９は捺印検出センサ、２６は送受信コイル（コイル状アンテナ）を示す。
【図１】
0004792989.tif 000002
【図２】
0004792989.tif 000003
【図３】
0004792989.tif 000004
【図４】
0004792989.tif 000005
【図５】
0004792989.tif 000006
【図６】
0004792989.tif 000007
【図７】
0004792989.tif 000008
【図８】
0004792989.tif 000009
【図９】
0004792989.tif 000010